(57)【要約】【課題】  ヒンジ機能とロック機能を備える接続部を設けることで作業性が向上した上下両開き機構を有するカメラハウジングを提供すること。【解決手段】  本発明のカメラハウジングは、撮像装置を収納する筐体と、前記筐体の開口部を開閉する扉と、上下方向に互いに離間した２箇所を含む締結箇所において、前記扉を前記筐体へ締結する複数の接続部と、を含み、前記接続部による前記扉の前記筐体への締結を１つ以上保持し、１つ以上の前記接続部による前記扉の前記筐体への締結を解除することにより、該締結を解除した接続部の側から前記扉を開けることが可能である、ことを特徴とする。【選択図】  図４
2018109662.tif 000002
【特許請求の範囲】
【請求項１】
撮像装置を収納する筐体と、
前記筐体の開口部を開閉する扉と、
上下方向に互いに離間した２箇所を含む締結箇所において、前記扉を前記筐体へ締結する複数の接続部と、
を含み、
前記接続部による前記扉の前記筐体への締結を１つ以上保持し、１つ以上の前記接続部による前記扉の前記筐体への締結を解除することにより、該締結を解除した接続部の側から前記扉を開けることが可能である、
ことを特徴とするカメラハウジング。
【請求項２】
前記接続部それぞれは、前記扉を前記筐体に対して水平方向の回動軸回りで回動可能であるように締結し、
上下方向に互いに離間した前記締結箇所のうち、一方の前記接続部を含む前記接続部と前記扉との締結を解除することにより、他方の前記接続部を含む前記接続部を回動軸として前記扉を回動して開けることが可能である、
ことを特徴とする請求項１に記載のカメラハウジング。
【請求項３】
前記複数の接続部は、水平方向に互いに離間した２箇所を含む締結箇所において、前記扉を前記筐体へ締結し、
前記接続部それぞれは、前記扉を前記筐体に対して鉛直方向の回動軸回りで回動可能であるように締結し、
水平方向に互いに離間した前記締結箇所のうち、一方の前記接続部を含む前記接続部と前記扉との締結を解除することにより、他方の前記接続部を含む前記接続部を回動軸として前記扉を回動して開けることが可能である、
ことを特徴とする請求項１又は２に記載のカメラハウジング。
【請求項４】
前記接続部は、前記扉との締結が解除されたときに前記扉と締結されているときの姿勢を維持するための姿勢保持手段を有する、ことを特徴とする請求項１乃至３のいずれか１項に記載のカメラハウジング。
【請求項５】
前記姿勢保持手段はバネであることを特徴とする請求項４に記載のカメラハウジング。
【請求項６】
前記姿勢保持手段は磁石であることを特徴とする請求項４に記載のカメラハウジング。
【請求項７】
前記扉は、前記開口部を開閉する方向に延在し、前記扉を貫通する長孔として構成されたスライドガイドを備え、
前記接続部は、前記筐体に設けられた固定部と、前記スライドガイドを通して前記固定部に締結される締結部材と、を有し、
前記締結部材と前記スライドガイドを摺動させることにより前記扉を開閉する、
ことを特徴とする請求項１に記載のカメラハウジング。
【請求項８】
前記固定部は、前記筐体の前記開口部の上側の２箇所に構成された上固定部と、下側の２箇所に構成された下固定部とからなり、
前記スライドガイドを通して前記締結部材を前記上固定部と前記下固定部に締結することにより前記扉を閉じ、前記上固定部に締結した前記締結部材を前記上固定部から外すことで下方向に前記蓋を移動させて開口部を開き、前記下固定部に締結した前記締結部材を前記下固定部から外すことで上方向に前記蓋を移動させて開く、
ことを特徴とする請求項７に記載のカメラハウジング。
【請求項９】
前記締結部材は、ネジ部が前記固定部と螺合し、前記スライドガイドに沿って摺動する摺動部を有する段付きビスであることを特徴とする請求項７又は８に記載のカメラハウジング。
【請求項１０】
前記締結部材を前記固定部へ締結する際、前記締結部材は弾性体を介して前記扉を前記固定部側へ押圧する、ことを特徴とする請求項７又は８に記載のカメラハウジング。
【発明の詳細な説明】
【技術分野】
【０００１】
本発明は、カメラ装置等を収納するカメラハウジングに関し、特に、扉の開閉機構を有するカメラハウジングに関する。
【背景技術】
【０００２】
屋外に設置し、周囲の状況を撮影する雲台装置は、カメラを収納するカメラハウジングを備える。このカメラハウジング内のレンズ装置やカメラ装置の調整、カメラ装置へのケーブル接続を行なう際は、ハウジングの筐体に付随する扉を上、又は下に開き作業を行なっていた。しかしながら雲台装置の設置場所、作業性によって、扉の開き方が片方向へ制限される場合があり、選択的に上、又は下に開くことが望ましい。
【０００３】
例えば、特許文献１には、監視カメラ用のカメラ取付装置において、作業環境に応じて左右に設けられているヒンジ結合部をネジ止めすることによって、任意の水平方向に開くことができる機構を実現している。
【先行技術文献】
【特許文献】
【０００４】
【特許文献１】特許第４５０４７３２号公報
【発明の概要】
【発明が解決しようとする課題】
【０００５】
しかしながら、上述の特許文献に開示された従来技術では、開閉方向を変更する際、ヒンジのネジ位置を変える必要がある。また扉のロックは別の個所で行う必要があるため、作業性が悪いという課題がある。
そこで、本発明の目的は、作業性が良好な、１枚の扉を対向する方向に開閉可能な両開き機構を有するカメラハウジングを提供することである。
【課題を解決するための手段】
【０００６】
本発明のカメラハウジングは、撮像装置を収納する筐体と、前記筐体の開口部を開閉する扉と、上下方向に互いに離間した２箇所を含む締結箇所において、前記扉を前記筐体へ締結する複数の接続部と、を含み、前記接続部による前記扉の前記筐体への締結を１つ以上保持し、１つ以上の前記接続部による前記扉の前記筐体への締結を解除することにより、該締結を解除した接続部の側から前記扉を開けることが可能である、ことを特徴とする。
【発明の効果】
【０００７】
本発明により、１枚の扉を対向する方向に開閉可能な両開き機構のあるカメラハウジングを提供することができるため、作業性が良好になり、メンテナンスが行い易くなる。
【図面の簡単な説明】
【０００８】
【図１】本発明の実施例に係る、雲台装置１の断面を示した概略構成図
【図２】実施例１の扉が閉じた状態の斜視図
【図３】実施例１の扉が閉じた状態の断面図
【図４】実施例１の扉が下に開いた状態の断面図
【図５】実施例１の扉が上に開いた状態の断面図
【図６】実施例１のハウジングと扉をつなぐ接続部の詳細図
【図７】実施例１のハウジングと扉をつなぐ接続部の詳細図
【図８】実施例１のハウジングと扉をつなぐ接続部の変形例の詳細図
【図９】実施例２の扉が閉じた状態の斜視図
【図１０】実施例２の扉が閉じた状態の側面図
【図１１】実施例２の扉が下に開いた状態の側面図
【図１２】実施例２の扉が上に開いた状態の側面図
【図１３】実施例２のハウジングと扉をつなぐビスの詳細図
【図１４】実施例２の扉の詳細図
【図１５】実施例２の扉が閉じた状態の断面図
【発明を実施するための形態】
【０００９】
本発明における、カメラ装置等を収納するカメラハウジングの上下両開き機構を有するカメラハウジングは、撮像装置を収納する筐体と、前記筐体の開口部を開閉する扉と、上下方向に互いに離間した２箇所を含む締結箇所において、前記扉を前記筐体へ締結する複数の接続部と、を含み、前記接続部による前記扉の前記筐体への締結を１つ以上保持し、１つ以上の前記接続部による前記扉の前記筐体への締結を解除することにより、該締結を解除した接続部の側から前記扉を開けることが可能である、ことを特徴としている。
以下に、本発明の好ましい実施の形態を、添付の図面に基づいて詳細に説明する。
【実施例１】
【００１０】
以下、図１〜７を参照して、本発明の第１の実施例による、カメラ装置等を収納するカメラハウジングの上下両開き機構について説明する。
【００１１】
本実施例における、カメラ装置等を収納するカメラハウジングの上下両開き機構を有するカメラハウジングは、以下の特徴を有する。撮像装置を収納する筐体と、前記筐体の開口部を開閉する扉と、上下方向に互いに離間した２箇所を含む締結箇所において、前記扉を前記筐体へ締結する複数の接続部と、を含み、前記接続部による前記扉の前記筐体への締結を１つ以上保持し、１つ以上の前記接続部による前記扉の前記筐体への締結を解除することにより、該締結を解除した接続部の側から前記扉を開けることが可能である、ことを特徴とする。
【００１２】
また、前記接続部それぞれは、前記扉を前記筐体に対して水平方向の回動軸回りで回動可能であるように締結し、上下方向に互いに離間した前記締結箇所のうち、一方の前記接続部を含む前記接続部と前記扉との締結を解除することにより、他方の前記接続部を含む前記接続部を回動軸として前記扉を回動して開けることが可能である、ことを特徴とする。
【００１３】
図１は、本発明の実施形態に係る、雲台装置１を示した概略構成図である。雲台装置１はハウジング２、ヘッド３、ベース４より構成され、ハウジング２がヘッド３に対して水平方向の軸を中心に回転することでチルティングを行い、ヘッド３がベース４に対して鉛直方向の軸を中心に回転することでパンニングを行う。ハウジング２内には、撮像装置５がカメラ台７に固定され、カメラ台７は、ハウジング２の底部に固定されている。撮像装置５は、保護ガラス６を通して周囲を撮影する。
【００１４】
図２は扉によって筐体２０１の開口部が閉じられた状態（閉状態）の斜視図を示す。ハウジング２は筐体２０１と扉２０２で構成される。図１のＡ−Ａ断面を図３に示す。筐体２０１に対し扉２０２が下方向に開いた開口部が開放された状態（開状態）が図４である。筐体２０１に対し扉２０２が上方向に開いた状態が図５である。図６、図７に、筐体２０１と扉２０２を開閉可能に接続する接続部３０１（図３のＸ部）の詳細図である。
【００１５】
図６に示す通り、接続部３０１は筐体２０１に不図示のビスによって固定される筐体固定部６０１と、扉２０２にビス２０４によって固定される扉固定部６０２を有する。筐体固定部６０１と扉固定部６０２はヒンジ６０４により、該ヒンジ６０４を回動軸として水平方向の回動軸回りで回動可能に接続されている。ヒンジ６０４には、トーションバネなどの弾性体により閉位置に付勢する姿勢保持機構（姿勢保持手段）６０６が設けられている。接続部３０２においても同一の構成であり、接続部３０１と相対する方向で固定されている。すなわち、接続部３０１と接続部３０２とは、筐体の開口部の対向する位置に固定され、図２〜４に示すように上下方向で対向する位置に固定される。
【００１６】
図３の状態で扉２０２の上部２本のビス２０３（対向する接続部の一方）を外すことにより、筐体２０１上部の接続部３０２と扉２０２のネジ締結が解除される。これにより雲台下部の接続部３０１（対向する接続部の他方）のヒンジ６０４を支点として扉２０２を下方向に開き、図４の状態にすることができる。この時の接続部３０１について、姿勢保持機構６０６の６０５方向の付勢力は、扉２０２を開ける際、作業性を害さない程度の強さである。
【００１７】
また、図３の状態から扉２０２下部のビス２０４（対向する接続部の一方）を外すことにより筐体２０１下部の接続部３０１と扉２０２のネジ締結を解除する。これによりハウジング上部のヒンジ結合されている接続部３０２（対向する接続部の他方）のヒンジ６０４を支点（回動軸）として扉２０２を回動軸回りで回動させて上方向に開き、図５の状態にすることができる。この時、雲台下部に設けられた接続部３０１は、図６に示された姿勢保持機構６０６により、自重で扉固定部６０２が６０５の逆方向に回転することが規制される。よって、雲台下部の接続部３０１は、扉との締結が解除されても扉と締結されているときの姿勢（図５）を維持することができる。これにより、図５の状態から図３の状態に再び閉じる場合、使用者は筐体下部の接続部３０１の扉固定部６０２を持ちあげる動作を回避できる。
【００１８】
以上により、本発明は固定ビスを任意に選択するだけで扉の上開きと下開きを自由に選択できるため、作業性が向上した上下両開き機構を提供できる。また、上下方向に加えて扉が左右方向に開く場合も同様の機構を左右対向する面に設置することにより実現可能である。
【００１９】
さらに、図６に例示した接続部３０１に代えて、図８に示すような接続部３１１を使用することによって、上下２方向だけでなく、上下左右４方向での開閉を可能とすることもできる。接続部３１１は、ヒンジ６０４に加えて、ヒンジ６０４の回動軸方向（水平方向）と垂直な（上下方向の）回動軸を有するヒンジ６１４を有する。接続部３１１は筐体２０１に不図示のビスによって固定される筐体固定部６０１と、扉２０２にビス２０４によって固定される扉固定部６１２と、筐体固定部６０１と扉固定部６１２との間に配置される中間部６１１を有する。筐体固定部６０１と中間部６１１はヒンジ６０４で接続され、中間部６１１と扉固定部６０２はヒンジ６１４により接続されている。ヒンジ６０４に姿勢保持機構６０６が、ヒンジ６１４に姿勢保持機構６１６が、バネ等の弾性部材によって構成され、それぞれ図８に示す位置に付勢されている。そのため、ビス２０４によって、接続部３１１が扉２０２に固定されていない時でも、図８に示す状態を安定して維持することができる。これにより、開状態から閉状態に戻したときに、接続部３１１は、安定的に図８に示す状態を維持しているので、扉を扉固定部６１２に容易にビス留めすることができる。これにより、上下左右４方向に対する蓋の開閉を自在とするカメラハウジングも提供することができる。
【００２０】
姿勢保持機構としてトーションバネを使用した場合を例示したが、本発明はこれに限定されることはない。表面加工などによる摩擦構造により所定の力より大きな力が加えられなければ開閉しない構成を姿勢保持機構としてもよい。図７に示す筐体固定部６０１と扉固定部６０２の接触部７０１、７０２に吸着体（磁石等）を設置するなどの手段を用いることで６０５方向に付勢力を発生させる構成を姿勢保持機構としてもよい。
【００２１】
尚、姿勢保持機構６０６は雲台の設置場所、設置方向によって取り除いても良い。例えば、上下２方向に開閉可能なハウジングの場合、筐体２０１の上方の接続部３０１として設置された場合は、蓋を閉める（ビス２０３で固定する）場合に接続部３０１の位置をマニュアルで固定保持する必要はないので、姿勢保持機構６０６を省略しても構わない。
【００２２】
尚、例示した実施例においては、扉２０２を下方向に開閉するための接続部３０１、上方向に開閉するための接続部３０２は、それぞれ２つ有する構成としたが本発明はこれに限定されることはない。例えば、下方向に開閉するための接続部３０１、上方向に開閉するための接続部３０２を、それぞれ１つで構成するようにしても、本発明の効果を得ることができる。また、左右（水平）方向に開閉する構造に本発明を適用した場合も、左右に１つずつの接続部を有することで左右両開きの扉を実現することができる。
【００２３】
さらに、図８に示した２方向に開閉可能とする接続部３１１を２つ使用し、互いに上下方向および左右（水平）方向に離間した位置、例えば矩形の開口部であれば対角の位置に配置することにより、上下方向および左右方向において両開きの扉を実現することができる。
【実施例２】
【００２４】
以下、図９〜１５を参照して、本発明の第２の実施例による、スライド結合機能とロック機能の両方を実現することを可能にした上下両開き機構について説明する。
【００２５】
本実施例における、カメラ装置等を収納するカメラハウジングの上下両開き機構を有するカメラハウジングは、以下の特徴を有する。撮像装置を収納する筐体と、前記筐体の開口部を開閉する扉と、上下方向に互いに離間した２箇所を含む締結箇所において、前記扉を前記筐体へ締結する複数の接続部と、を含み、前記接続部による前記扉の前記筐体への締結を１つ以上保持し、１つ以上の前記接続部による前記扉の前記筐体への締結を解除することにより、該締結を解除した接続部の側から前記扉を開けることが可能である、ことを特徴とする。さらに前記扉は、前記開口部を開閉する方向に延在し、前記扉を貫通する長孔として構成されたスライドガイドを備え、前記接続部は、前記筐体に設けられた固定部と、前記スライドガイドを通して前記固定部に締結される締結部材と、を有し、前記締結部材と前記スライドガイドを摺動させることにより前記扉を開閉する、ことを特徴とする。
【００２６】
筐体８０１の扉８０２が閉じられた状態の斜視図が図９であり、この状態を扉８０２側から見た図が図１０である。図１０に対し扉８０２が下方向に開いた状態の扉８０２側から見た図が図１１である。図１０に対し扉８０２が上方向に開いた状態の扉８０２側から見た図が図１２である。図１３はビス８０３の詳細図である。図１４は扉８０２詳細図である。図１５は図１０のＢ−Ｂ断面である。
【００２７】
筐体８０１と扉８０２は筐体８０１に設けられたネジ穴（固定部）１００１、１１０１にビス（締結部材）８０３のネジ部１２０１を螺合することにより、ネジ締結されている。図１３で示されるように、ビス８０３はネジ部１２０１、嵌合部（摺動部）１２０２、ネジ頭１２０３によって構成される段付きビスである。扉８０２とビス８０３の間には弾性体ワッシャ１４０１があり、扉８０２は弾性体ワッシャ１４０１を介して筐体８０１方向（固定部側）に付勢（押圧）されている。扉８０２にはレール溝（スライドガイド）１３０１が開閉方向に延在して扉８０２を貫通する長孔として構成されている。レール溝１３０１の幅はビス８０３に設けられた嵌合部１２０２の直径とほぼ同径となっており、ビスを中心に扉はレール溝にそって上下に移動する。図１０の状態は、レール溝１３０１の上下端に、ビス８０３に設けられた嵌合部１２０２が接触することにより固定される。
【００２８】
図１０状態から、筐体８０１上部（開口部の上側）のネジ穴（上固定部）に螺合したビス８０３を外すと、扉８０２は下部のビス８０３を中心に、レール溝１３０１にそって下方向にスライド移動することができる。これにより図１１の状態となる。また、図９の状態から筐体８０１下部（開口部の下側）のネジ穴（下固定部）に螺合したビス８０３を外すと、扉８０２はレール溝１５０１により、ハウジング上部のビス８０３を中心に、上方向にスライド移動することができる。これにより図１４の状態にすることができる。この時、弾性体ワッシャ１４０１により、扉８０２は筐体８０１方向に付勢され、扉８０２と筐体８０１の間の摩擦力により、図１２の状態に留まることができる。これにより作業者が扉を抑えるという動作を回避できる。以上により、本発明はスライド機能とロック機能を備えることで、作業者は扉の締結の解除と開閉方向の選択を同時に行うことが可能となるため、作業性が向上した上下両開き機構を提供できる。また、扉が左右方向に開く場合も同様の機構を左右対向する面に設置することにより実現可能である。
【符号の説明】
【００２９】
２：ハウジング（カメラハウジング）
５：撮像装置
２０１、８０１：筐体
２０２、８０２：扉
３０１、３０２、３１１：接続部
６０１：筐体固定部（接続部）
６０２、６１２：扉固定部（接続部）
６０４、６１４：ヒンジ（接続部）
６１１：中間部（接続部）
１００１、１１０１：ネジ穴（固定部、接続部）
【図１】
2018109662.tif 000003
【図２】
2018109662.tif 000004
【図３】
2018109662.tif 000005
【図４】
2018109662.tif 000006
【図５】
2018109662.tif 000007
【図６】
2018109662.tif 000008
【図７】
2018109662.tif 000009
【図８】
2018109662.tif 000010
【図９】
2018109662.tif 000011
【図１０】
2018109662.tif 000012
【図１１】
2018109662.tif 000013
【図１２】
2018109662.tif 000014
【図１３】
2018109662.tif 000015
【図１４】
2018109662.tif 000016
【図１５】
2018109662.tif 000017